(57)【特許請求の範囲】
【請求項１】
通話のためのマイク（２１）、スピーカ（２２）、前記通話を行うための面型ボタン（３０Ａ、３０Ｂ）を有し上筐体（２５）、下筐体（２６）で構成され、前記面型ボタンには、前記上筐体に対して枢動自在の突起した枢動軸（３１）と、前記上筐体から抜けないようにするための引っ掛け爪（３２）と、前記引っ掛け爪に並設された溝（３３）とを設け、前記上筐体には、前記枢動軸が枢着される軸受（４１）と、前記引っ掛け爪を係止して前記溝に嵌合される係止部材（４２）とを設けたことを特徴とするインターホン構造。
【請求項２】
前記面型ボタンを、取付ける壁の色に合わすことができるように前記上筐体に着脱自在に被蓋したパネル（４０）を設けることを特徴とする請求項１記載のインターホン構造。
【請求項３】
前記上筐体には、前記面型ボタンで操作されスイッチ（２７Ａ、２７Ｂ）を押すためのスイッチ押部（４３）を構成する成形ばね（４３ａ）の根元が極度の力などで折れた際に、前記スイッチ押部が前記面型ボタンと前記スイッチの間で保持されて最低限の操作が行えるように前記スイッチ押部に溝（４３ｂ）を設け、前記面型ボタンには前記溝に嵌合するように突起（３４）を設けたことを特徴とする請求項１記載のインターホン構造。
【発明の詳細な説明】
【０００１】
【発明の属する技術分野】
本発明はインターホン構造に係り、特に応答操作を容易にするために大きく形成された面型ボタンを有するインターホン構造に関する。
【０００２】
【従来の技術】
インターホンは、玄関などに設置されるドアホン子機と、室内に設置されるインターホン親機とが幹線で接続されたものであり、ドアホン子機には、子機の設置場所の周囲の映像を撮像するＣＣＤカメラ、インターホン親機間で通話を行うための子機マイク、子機スピーカおよびインターホン親機を呼び出すための呼出ボタン等が備えられる。一方、インターホン親機には、ドアホン子機のＣＣＤカメラから送られる玄関の訪問者の映像を撮像するためのＣＲＴモニタ、ドアホン子機と通話を行うための親機マイク、親機スピーカ、ＣＲＴモニタを操作するモニタボタン、通話を操作するための通話ボタン等が備えられる。
【０００３】
このようなインターホン親機に備えられるモニタボタンや通話ボタンは図８に示すように、面型ボタン構造であり、これらボタン５１（以下、「面型ボタン５１」という。）は、筐体５２に対して枢動自在に固定されている。具体的には、ピアノの鍵盤のように面型ボタン５１の一端に枢動軸５３が設けられ、筐体５２にこの枢動軸５３を嵌合させるための軸受５４が設けられている。また、面型ボタン５１の枢動軸５３を筐体５２の軸受５４に嵌合後、枢動軸５３が軸受５４から外れないように、当該軸受５４の開口部を塞ぐための部材５５を筐体５２の裏面や表面から溶着もしくはビス５６締めして、面型ボタン５１を筐体５２に固定している。
【０００４】
【発明が解決しようとする課題】
しかしながら、このような従来の面型ボタン構造では、面型ボタン５１を大きく形成した場合、厚み方向で機器全体が厚くなることがあり、また、部品点数や加工時間の増加により製造コストを上げる原因となっていた。
【０００５】
本発明は、このような従来の難点を解決するためになされたもので、大きな面型ボタンを筐体内の小さなスペースに組み込むことができ、而も筐体にビス締めなどの加工を行わずに面型ボタンを筐体に対して枢動自在に固定することができるインターホン構造を提供することを目的とする。
【０００６】
【課題を解決するための手段】
このような目的を達成する本発明のインターホン構造は、通話のためのマイク、スピーカ、通話を行うための面型ボタンを有し上筐体、下筐体で構成され、面型ボタンには、上筐体に対して枢動自在の突起した枢動軸と、上筐体から抜けないようにするための引っ掛け爪と、引っ掛け爪に並設された溝とを設け、上筐体には、枢動軸が枢着される軸受と、引っ掛け爪を係止して溝に嵌合される係止部材とを設けたものである。
【０００７】
このインターホン構造によれば、面型ボタンの枢動軸を上筐体の軸受に嵌め込むと、面型ボタンの引っ掛け爪が上筐体の係止部材に係止されると共に、上筐体の係止部材が面型ボタンの溝に嵌合するので、面型ボタンは上筐体から外れることなく枢動させることができる。
【０００８】
また、本発明のインターホン構造において面型ボタンを、取付ける壁の色に合わすことができるように上筐体に着脱自在に被蓋したパネルを設けるものである。これにより、面型ボタンの色替えや意匠の変更を容易に行うことができる。
【０００９】
また、本発明のインターホン構造において上筐体には、面型ボタンで操作されスイッチを押すためのスイッチ押部を構成する成形ばねの根元が極度の力などで折れた際に、スイッチ押部が面型ボタンとスイッチの間で保持されて最低限の操作が行えるようにスイッチ押部に溝を設け、面型ボタンには溝に嵌合するように突起を設けたものである。これにより、面型ボタンを上筐体に枢動自在に固定させると、面型ボタンに設けられた突起が上筐体のスイッチ押部に設けられた溝に嵌合するので、スイッチ押部を構成する成形ばねの根元が折れても面型ボタンでスイッチを押すことができる。
【００１０】
【発明の実態の形態】
以下、本発明のインターホン構造による好ましい実施の形態例について、図面を参照して詳述する。
【００１１】
本発明のインターホンの構造が適用されるインターホンは図７に示すように、玄関などに設置されるドアホン子機１と、室内に設置されるインターホン親機２とが幹線Ｌ１で接続されたものであり、ドアホン子機１には、ドアホン子機１が設置される周辺の映像を撮像するＣＣＤカメラ１１、インターホン親機２間で通話を行うための子機マイク１２、子機スピーカ１３およびインターホン親機２を呼び出すための呼出ボタン１０が備えられる。一方、インターホン親機２には、ドアホン子機１のＣＣＤカメラ１１から送られる玄関の訪問者の映像を出画するためのＣＲＴモニタ２０、ドアホン子機１と通話を行うための親機マイク２１、親機スピーカ２２、ＣＲＴモニタ２０を操作するモニタボタン３０Ａ、通話を操作するための通話ボタン３０Ｂ等が備えられる。
【００１２】
インターホン親機２は図５に示すように、通話のための親機マイク２１、親機スピーカ２２および玄関の訪問者の画像を出画するためのＣＲＴモニタ２０を上筐体２５、下筐体２６間に装着している。具体的には、上筐体２５に親機マイク２１および親機スピーカ２２が設けられ、下筐体２６にＣＲＴモニタ２０が設けられている。また、上筐体２５には、ＣＲＴモニタ２０用の窓２５ａと、親機マイク２１が設けられる位置にスリット２５ｂと、親機スピーカ２２が設けられる位置に格子スリット２５ｃとが穿設されている。
【００１３】
このような上筐体２５には図１、図５に示すように、当該上筐体２５から取り外して交換することが可能なようにパネル４０が着脱自在に被蓋されている。このパネル４０には、面型ボタンであるモニタボタン３０Ａおよび通話ボタン３０Ｂ（以下、「面型ボタン３０Ａ、３０Ｂ」という。）が組み込まれている。この面型ボタン３０Ａ、３０Ｂは図１、図２、図３に示すように、それぞれ上筐体２５に被蓋されたパネル４０に対して枢動自在の突起した枢動軸３１と、パネル４０から抜けないようにするための引っ掛け爪３２と、この引っ掛け爪３２に並設された溝３３とを設けている。なお、図２、図３は面型ボタン３０Ｂのみを示した拡大斜視図であるが、一方の面型ボタン３０Ａは枢動軸３１、引っ掛け爪３２および溝３３が同一構成なので、この拡大斜視図を省略している。
【００１４】
これに対し、パネル４０は図１、図４に示すように、面型ボタン３０Ａ、３０Ｂの枢動軸３１が枢着される軸受４１と、引っ掛け爪３２を係止して溝３３に嵌合される係止部材４２とを設けている。
【００１５】
また、面型ボタン３０Ａ、３０Ｂは図６に示すように、何れもパネル４０と同表面になるように、上筐体２５の側面側に位置するパネル４０の部位に装着される構造になっている。これにより、厚み方向でインターホン親機２全体が厚くなることを防ぐことができる。
【００１６】
さらに、パネル４０には図１、図４、図５に示すように、面型ボタン３０Ａ、３０Ｂで操作され上筐体２５に備えられたスイッチ２７Ａ、２７Ｂを押すためのスイッチ押部４３が成形ばね４３ａを介して２箇所に設けられている。このスイッチ２７Ａ、２７Ｂは、接点の駆動によりドアホン子機１とモニタ状態や通話状態にするものである。また、スイッチ押部４３を構成する成形ばね４３ａの根元が極度の力で折れた際に、スイッチ押部４３が面型ボタン３０Ａ、３０Ｂとスイッチ２７Ａ、２７Ｂとの間で保持されて最低限の操作が行えるように、スイッチ押部４３には溝４３ｂが設けられている。また、面型ボタン３０Ａ、３０Ｂには、この溝４３ｂに嵌合するように、それぞれ突起３４が設けられている。
【００１７】
このようなインターホン親機２において、面型ボタン３０Ａ、３０Ｂをパネル４０に対して枢動自在に固定するために、まず、面型ボタン３０Ａをパネル４０の軸受４１に嵌め込むと、面型ボタン３０Ａの引っ掛け爪３２が撓みながらパネル４０の係止部材４２を乗り越えて係止されると共に、パネル４０の係止部材４２が面型ボタン３０Ａの溝３３に嵌合し、さらに、面型ボタン３０Ａに設けられた突起３４がパネル４０のスイッチ押部４３に設けられた溝４３ｂに嵌合する。これにより、面型ボタン３０Ａはパネル４０から外れることなく枢動させることができ、而も面型ボタン３０Ａの突起３４とパネル４０のスイッチ押部４３の溝４３ｂとが嵌合していることから、スイッチ押部４３を構成する成形ばね４３ａの根元が折れても、スイッチ押部４３がパネル４０と面型ボタン３０Ａとの間で固定されるので、面型ボタン３０Ａで上筐体２５に備えられたスイッチ２７Ａを押すことができる。
【００１８】
また、面型ボタン３０Ｂも同様に組み込むことにより、パネル４０から外れることなく枢動させることができ、而も面型ボタン３０Ｂの突起３４とがパネル４０のスイッチ押部４３の溝４３ｂとが嵌合していることから、スイッチ押部４３を構成する成形ばね４３ａの根元が折れても面型ボタン３０Ｂで上筐体２５に備えられたスイッチ２７Ｂを押すことができる。
【００１９】
このようにして、面型ボタン３０Ａ、３０Ｂが設けられたパネル４０は、上筐体２５に嵌め込まれ、スイッチ２７Ａ、２７Ｂを押下可能になる。なお、この面型ボタン３０Ａ、３０Ｂは、取付ける壁の色に合わすことができるように上筐体２５に着脱自在に被蓋したパネル４０に設けられているので、面型ボタンの色替えや意匠の変更を容易に行うことができる。なお、上述した本発明のインターホンの面型ボタン構造による好ましい実施の形態例においては、上筐体に着脱自在に被蓋したパネルに面型ボタンを設けていたが、これに限らず、上筐体自体に面型ボタンを組み込んでもよい。
【００２０】
【発明の効果】
以上の説明から明らかなように、本発明のインターホン構造によれば、面型ボタンの枢動軸を上筐体の軸受に嵌め込むと、面型ボタンの引っ掛け爪が上筐体の係止部材に係止されると共に、上筐体の係止部材が面型ボタンの溝に嵌合することから、面型ボタンは上筐体から外れることなく枢動させることができるので、大きな面型ボタンを筐体内の小さなスペースに組み込むことができ、而も筐体にビス締めなどの加工を行わずに面型ボタンを筐体に対して枢動自在に固定することができる。これにより、部品点数が減り組立性が向上するので、製造コストを下げることが可能になる。
【００２１】
また、面型ボタンは、上筐体と同表面になるように上筐体の側面側に装着されることにより、厚み方向で機器全体が厚くなることを防ぐことができる。
【００２２】
また、面型ボタンを上筐体に着脱自在に被蓋したパネルに設けることにより、面型ボタンの色替えや意匠の変更を容易に行うことができる。
【００２３】
さらに、面型ボタンを上筐体に枢動自在に固定させると、面型ボタンに設けられた突起が上筐体のスイッチ押部に設けられた溝に嵌合することから、スイッチ押部を構成する成形ばねの根元が折れても、スイッチ押部が上筐体と面型ボタンとの間で固定されるので、最低限の応答操作が行えるようになる。
【図面の簡単な説明】
【図１】  本発明のインターホン構造による好ましい実施の形態例を示す図で、（ａ）は面型ボタンが組み込まれ上筐体に着脱自在に被蓋されるパネルを表面から見た斜視図、（ｂ）はこのパネルを裏面から見た斜視図。
【図２】  本発明のインターホン構造に用いられる面型ボタンを表面から見た斜視図。
【図３】  本発明のインターホン構造に用いられる面型ボタンを裏面から見た斜視図。
【図４】  本発明のインターホン構造が適用されるパネルを裏面から見た斜視図。
【図５】  本発明のインターホン構造が適用されるパネルを外した状態のインターホン親機を示す斜視図。
【図６】  本発明のインターホン構造が適用されるパネルを取付けた状態のインターホン親機を示す斜視図。
【図７】  インターホンの構成を示す説明図。
【図８】  従来のインターホンの面型ボタン構造を示す図で、（ａ）は側断面図、（ｂ）は裏面図。
【符号の説明】
２１・・・親機マイク
２２・・・親機スピーカ
２５・・・上筐体
２６・・・下筐体
２７Ａ、２７Ｂ・・・スイッチ
３０Ａ、３０Ｂ・・・面型ボタン
３１・・・枢動軸
３２・・・引っ掛け爪
３３・・・溝
３４・・・突起
４０・・・パネル
４１・・・軸受
４２・・・係止部材
４３・・・スイッチ押部
４３ａ・・・成形ばね
４３ｂ・・・溝
【図１】
0004351369.tif 000002
【図２】
0004351369.tif 000003
【図３】
0004351369.tif 000004
【図４】
0004351369.tif 000005
【図５】
0004351369.tif 000006
【図６】
0004351369.tif 000007
【図７】
0004351369.tif 000008
【図８】
0004351369.tif 000009